(57)【要約】【課題】家具等の揺れ、転倒を防止する耐震用具であって、縦揺れ、横揺れ等、いかなる方向の揺れに対しても、家具等の揺れ、転倒を確実に防止する。【解決手段】耐震用具１０は、第２金具２１に対して第１金具２２がスライド自在に接合されたスライド式Ｌ型金具２０と、このスライド式Ｌ型金具２０に固定される３枚の取付面姿勢が異なる粘着性衝撃吸収マット３０Ａ，３０Ｂ，３０Ｃとから構成される。粘着性衝撃吸収マット３０の圧縮変形作用と粘性抵抗によるエネルギー減衰作用により、優れた衝撃吸収性能が得られるとともに、スライド式Ｌ型金具２０は、第１金具２２を干渉が回避される位置までスライド後退させることで、簡単に位置決めできるとともに、地震発生時には、第２金具２１に対して第１金具２２が摺動することで、衝撃の一部を吸収する。【選択図】図３
2006239223.tif 000002
【特許請求の範囲】
【請求項１】
水平板部と垂直板部とを有する断面Ｌ字状の第１金具と、
水平板部を有する第２金具と、
第１金具の水平板部の上に第２金具の水平板部が重なる状態において、第１金具と第２金具とを水平方向へとスライド自在に結合するスライド結合機構と、
第１金具の水平板部の下面、第１金具の垂直板部の内面、第２金具の水平板部の上面のそれぞれに固定された粘着性衝撃吸収マットとを備え、
それにより、家具等の保護対象物の底面に第２金具の水平板部上面の前記マットを粘着させた状態において、第１金具を第２金具に対してスライドさせながら、その垂直板部内面の前記マットを前記保護対象物の側面に粘着させ、しかるのち、第１金具の水平板部下面の前記マットを保護対象物が載置される床面に粘着させることができるように構成した、ことを特徴とする耐振用具。
【請求項２】
スライド結合機構が、
第２金具の水平板部の左右両側端縁を下面側へ巻き込むように曲成して左右のガイド凹条を形成すると共に、第１金具の水平板部の左右両側端縁をそれらのガイド凹条内に嵌入させることにより、第１金具と第２金具とがスライド自在に結合されるものである、ことを特徴とする請求項１に記載の耐振用具。
【請求項３】
第１金具の水平板部の下面、第１金具の垂直板部の内面、第２金具の水平板部の上面のそれぞれに固定された粘着性衝撃吸収マットの表面には剥離紙が貼着されている、ことを特徴とする請求項１又は２に記載の耐振用具。
【請求項４】
粘着性衝撃吸収マットは、ショアＣ硬度０〜７０の範囲に設定されて超低弾性ゴムである、ことを特徴とする請求項１〜３のいずれかに記載の耐振用具。
【発明の詳細な説明】
【技術分野】
【０００１】
本発明は、地震発生時において、家具等の揺れ、転倒を防止するために使用する耐震用具に係り、特に、縦揺れや横揺れ等、揺れの方向にかかわらず家具等を確実に支持できる耐震用具に関する。
【背景技術】
【０００２】
周知のように、我国における地震発生頻度は、諸外国に比べてもひけをとるものではなく、地震大国の名を欲しいままにしている。従って、我国の住宅事情については、マグニチュード７クラスの直下型の地震に対しても充分耐え得る耐震構造を備えることが必要であることから、耐震性という項目が家屋を構築する場合の重要なファクターとなっている。しかしながら、実際に地震が発生した場合には、家屋の倒壊を免れても、家屋内では、タンスや本棚等の家具や、大型電化製品が大きく揺れ、あるいは転倒するケースが多く、損傷を招いたり、避難通路の障害となり、火災等の二次災害が発生した場合、極めて危険である。同様に、オフィスにおいても、倒壊を避けることができても書庫やロッカー、キャビン等が転倒したり、あるいは机上に置いているパソコン等の電子機器が落下した場合には、大きな損害を誘発する可能性が大きい。
【０００３】
ところで、従来では、家庭において、タンス、本棚等の家具や、大型電化製品を床面に固定するための耐震用具として、例えば、図１２に示すように、家具１の底面に耐震マット２を固定して、地震発生時における家具１の揺れや転倒を抑えるようにしている。従来の耐震マット２の具体例については、特許文献１に詳細に記載されている。
【特許文献１】特開平９−２８９９３１号公報
【発明の開示】
【発明が解決しようとする課題】
【０００４】
しかしながら、従来の耐震マット２では、横揺れや、比較的マグニチュードの小さなクラスの地震においては、家具１を床面に保持することはできても、マグニチュード７クラスの大型の地震や直下型の地震についてはほとんど家具１を支持することができず、家具１の大きな揺れや転倒を防止できないでいるのが実情である。
【０００５】
この発明は、このような事情に鑑みてなされたもので、地震発生時における家具等の揺れ、転倒を防止するために使用する耐震用具であって、家具等に簡単に取り付けることができ、取付作業性に優れるとともに、縦揺れ、横揺れ等、揺れの方向に左右されず、あるいはマグニチュード７クラスの大型の地震であっても、衝撃吸収マットとスライド式Ｌ型金具の両者で衝撃荷重を有効に吸収することで優れた衝撃吸収性能が得られる耐震用具を提供することを目的とする。
【課題を解決するための手段】
【０００６】
上記目的を達成するために、本発明に係る耐震用具は、水平板部と垂直板部とを有する断面Ｌ字状の第１金具と、水平板部を有する第２金具と、第１金具の水平板部の上に第２金具の水平板部が重なる状態において、第１金具と第２金具とを水平方向へとスライド自在に結合するスライド結合機構と、第１金具の水平板部の下面、第１金具の垂直板部の内面、第２金具の水平板部の上面のそれぞれに固定された粘着性衝撃吸収マットとを備えている。それにより、家具等の保護対象物の底面に第２金具の水平板部上面の前記マットを粘着させた状態において、第１金具を第２金具に対してスライドさせながら、その垂直板部内面の前記マットを前記保護対象物の側面に粘着させ、しかるのち、第１金具の水平板部下面の前記マットを保護対象物が載置される床面に粘着させることができるように構成したことを特徴とする。
【０００７】
ここで、耐震用具の用途としては、一般家庭内でのタンス、本棚等の家具類、あるいは大型電化製品、オフィス内における書庫やロッカー、キャビン等、あるいは工場内の各種装置類や病院内での各種検査機器等、多岐に亘っている。
【０００８】
更に、本発明に係る耐震用具は、スライド結合機構が、第２金具の水平板部の左右両側端縁を下面側へ巻き込むように曲成して左右のガイド凹条を形成すると共に、第１金具の水平板部の左右両側端縁をそれらのガイド凹条内に嵌入させることにより、第１金具と第２金具とがスライド自在に結合されるものである、ことを特徴とする。
【０００９】
このような構成により、第２金具に設けられた左右のガイド凹条は、第１金具と第２金具とを一体的に保持すると共に、互いに水平方向にスライド自在に支持することが可能となる。
【００１０】
次いで、粘着性衝撃吸収マットは、基本的には第２金具の下面に床面固定用のマットとして接着されるとともに、第２金具の上面と可動板の内面に家具等の底面と側面の双方に接着されるマットとして３箇所に粘着性衝撃吸収マットが固定される。
【００１１】
このような構成により、本発明に係る耐震用具によれば、家具類等の下縁コーナー部を跨ぐ底面と側面とにスライド式Ｌ型金具の内面に固定した粘着性衝撃吸収マットを接着させ、スライド式Ｌ型金具における第２金具の下面に固定した粘着性衝撃吸収マットを介して床面に施工することにより、横揺れ時においては第２金具の上面と第１金具の水平板部の下面とに接着した衝撃吸収マットの粘性抵抗によるエネルギー減衰作用と第１金具の垂直板部内面に固定した衝撃吸収マットの圧縮変形作用により衝撃荷重を有効に吸収するとともに、直下型地震等の縦揺れ時には、第１金具の垂直板部の内面に固定した衝撃吸収マットの粘性抵抗によるエネルギー減衰作用と第２金具の下面と第１金具の水平板部内面に固定した衝撃吸収マットの圧縮変形作用により、マグニチュード７クラスの直下型地震、縦揺れに際しても、有効に衝撃荷重を吸収することができる。
【００１２】
従って、縦揺れ、横揺れ等、揺れ方向がいずれの方向であっても、スライド式Ｌ型金具に相互に直交する姿勢で取り付けられている粘着性衝撃吸収マットにより、２方向の衝撃荷重を圧縮変形作用と粘性抵抗によるエネルギー減衰作用との相互作用で有効に吸収することができる。
【００１３】
また、本発明に係る耐震用具によれば、第１金具の水平板部の下面、第１金具の垂直板部の内面、第２金具の水平板部の上面のそれぞれに固定された粘着性衝撃吸収マットの表面には剥離紙が貼着されている、ことを特徴とする。
【００１４】
このような構成により、第１並びに第２金具に固定された粘着性衝撃吸収マットが意図する保護対象物以外に粘着してしまうことを未然に防ぐことが可能となる。さらに、収納時に粘着性衝撃吸収マットの粘着力を気にすることなく重ねて収納することが可能となる。
【００１５】
さらに、本発明に係る耐震用具の粘着性衝撃吸収マットは、エステル系ウレタン樹脂を素材とした超低弾性ゴムであり、その物性値としては、一般のウレタンゴムの常識を打ち破ったショアＡ硬度が０の領域に及ぶＣ硬度計でのみ計測できる軟性ゴムであり、ショアＣ硬度は０〜７０の範囲内に設定されていることを特徴とする。
【００１６】
このような特性を有する超低弾性ゴムを本発明にかかる耐震用具の粘着衝撃吸収マットとして用いることにより、当該粘着衝撃吸収マット自体が優れた衝撃吸収性能と粘着性とを兼ね備える。また、このように優れた衝撃吸収性能と粘着性とを併せ持つ粘着衝撃吸収マットが、当該Ｌ字型耐寝具の垂直板部並びに水平板部に備えられることによって、保護対象となる家具に対して同一平面ではなく、取付面を相違させるように配置されることから、縦揺れや横揺れ等のあらゆる方向の揺れに対して良好な衝撃吸収性能を発揮し、家具を確実に支持することが可能となる。
【発明の効果】
【００１７】
以上説明した通り、本発明に係る耐震用具は、スライド式Ｌ型金具と、スライド式Ｌ型金具に固定される粘着性衝撃吸収マットとから構成されており、縦揺れ、横揺れ等、揺れ方向がいずれの方向であっても、粘着性衝撃吸収マットの圧縮変形作用と粘性抵抗によるエネルギー減衰作用により、衝撃荷重を有効に吸収することができるとともに、特に、スライド式Ｌ型金具を使用することで、家具への取付時、まず、第２金具を手際良く位置決めすることができ、その後、第２金具に対して第１金具をスライド操作することで、簡単に耐震用具を家具に取り付けることができ、取付作業性に優れるという効果を有する。
【００１８】
更に、本発明に係る耐震用具は、粘着性衝撃吸収マットによる衝撃吸収性能に加えて、第２金具のガイド凹条をスライドする第１金具の摺動抵抗により、衝撃荷重を有効に吸収することができるため、地震発生時における衝撃荷重に対して優れた衝撃吸収性能を備えた耐震用具を提供できるという効果を有する。
【発明を実施するための最良の形態】
【００１９】
以下に、本発明の好適な実施の一形態を添付図面に従って詳細に説明する。尚、念のため付言すれば、本発明の要旨は特許請求の範囲によってのみ特定されるものであり、以下の実施の形態は、本発明の一例を示すものに過ぎない。
【実施例１】
【００２０】
図１乃至図１１は本発明の一実施例を示すもので、図１は本発明に係る耐震用具を示す斜視図、図２は同耐震用具を示す側面図、図３は同耐震用具を示す正面図、図４は本発明に係る耐震用具に使用する粘着性衝撃吸収マットの硬度を一般のゴム硬度と比較して示す概要図、図５は同粘着性衝撃吸収マットの衝撃吸収率を測定する試験方法を示す説明図、図６乃至図８は本発明に係る耐震用具を家具に取り付ける形態を示す説明図、図９は家具の両側下面に本発明に係る耐震用具を取り付けた状態を示す説明図、図１０は同耐震用具における衝撃吸収マットの作用を示す説明図、図１１は同耐震用具におけるスライド式Ｌ型金具の作用を示す説明図である。
【００２１】
図１乃至図３において、本発明に係る耐震用具１０は、スライド式Ｌ型金具２０と、このスライド式Ｌ型金具２０に固定される３枚の粘着性衝撃吸収マット３０（３０Ａ，３０Ｂ，３０Ｃ）とから大略構成されている。
【００２２】
本実施例では、スライド式Ｌ型金具２０は、ステンレス板を素材としており、第２金具２１に対して第１金具２２をスライド自在に支持して構成されている。更に詳しくは、第１金具は水平板部２３と垂直板部２４とを有する断面Ｌ字状に形成されている。そして、第２金具２１の水平板部の左右両側縁を下面側に巻き込むように曲成して左右のガイド凹条２１１を形成するように成形されており、この左右のガイド凹条２１１が第１金具２２と第２金具２１とのスライド結合機構として機能するものであり、第１金具２２の水平板部２３を第２金具２１のガイド凹条２１１に嵌入して第１金具２２と第２金具２１とが摺動自在に結合するように構成されている。
【００２３】
そして、粘着性衝撃吸収マット３０（３０Ａ，３０Ｂ，３０Ｃ）は、第２金具２１の上面に１枚目の粘着性衝撃吸収マット３０Ａが固定されており、第１金具２２には、水平板部２３の下面に２枚目の粘着性衝撃吸収マット３０Ｂが固定され、垂直板部２４の内面に３枚目の粘着性衝撃吸収マット３０Ｃが固定されている。尚、家具に取り付ける前段階においては、粘着性衝撃吸収マット３０Ａ，３０Ｂ，３０Ｃの表面にはそれぞれ剥離紙３１Ａ，３１Ｂ，３１Ｃが貼付されている。
【００２４】
本発明に係る耐震用具１０は、このようにスライド式Ｌ型金具２０を使用したことが特徴であり、このことは、家具に取り付ける取付作業が非常に円滑に行なえ、作業性に極めて優れるとともに、地震発生時における衝撃吸収性能についても、衝撃吸収マット３０の衝撃吸収作用にスライド式Ｌ型金具２０のもつ衝撃吸収性能が付加されている。
【００２５】
次いで、スライド式Ｌ型金具２０に接着固定される粘着性衝撃吸収マット３０について説明する。この粘着性衝撃吸収マット３０は、エステル系ウレタン樹脂から構成される超低弾性ゴムであり、図４で従来のゴムとの硬度比較を示すように、従来のゴムの硬度範囲はショアＡ硬度３０〜９０であるが、この硬度よりかなり低い硬度範囲を有し、ショアＡ硬度０の領域に及ぶショアＣ硬度０〜７０の範囲に設定されたＣ硬度計でのみ硬度が計測できる軟性ゴムである。このような超低弾性ゴムは、急激な張引力に対しては強固な粘着力を発揮する反面、ゆっくりと引きはがそうとすれば容易に剥離する特性を備えている。すなわち、地震のような急激な衝撃及び振動に対しては床面並びに対象家具等から剥離することはないが、対象家具から取り除く必要が生じる際には、ゆっくりと引きはがすことにより、きれいにかつ容易に剥離できるものである。
【００２６】
そして、図５で衝撃吸収率、減衰時間の測定実験を示すように、衝撃吸収試験装置４０におけるスタンド４１の磁石４２に硬球４３が支持されており、この硬球４３を鋼板（厚み４．２ｍｍ）４４上に載置されているサンプル（本実施例における粘着性衝撃吸収マット３０）上に落下させ、ロードセル４５により、衝撃荷重を測定し、動歪み測定器４６、波形記録計４７により計測した結果について、減衰時間と衝撃吸収率とを表１にて示す。また、粘着性衝撃吸収マット３０の物性データを表２にて示す。
【表１】
2006239223.tif 000003
【表２】
2006239223.tif 000004
【００２７】
尚、表２における＊１〜＊３は以下の注釈を示すものである。＊１、ジェロメーター硬さ試験：通常スポンジの硬さを測定する試験（アスカー社製Ｃ型硬度計を使用）。＊２、引張り強さ（常温）を１００％とした時の、耐熱試験後の値。＊３、アセトン、トルエン等の溶剤に１週間浸漬させると、膨潤し重量増加が見られるが、取り出して放置すれば溶剤が揮発し、形状は元に戻る（耐ガソリン性も同様の結果が見られた）。
【００２８】
表１，表２から明らかなように、本発明に係る耐震用具１０に使用する粘着性衝撃吸収マット３０は、それ自体優れた衝撃吸収性能を備えている。
【００２９】
次いで、図６乃至図１１に基づいて、本発明に係る耐震用具１０の使用形態について説明する。まず、図６に示すように、家具５０の下縁コーナー部５１を跨ぐ家具５０の底面５２と側面５３とに本発明に係る耐震用具１０を取り付けるには、家具５０の一方側を持ち上げて第２金具２１の上面に固定されている粘着性衝撃吸収マット３０Ａの剥離紙３１Ａを剥離した状態で第２金具２１の粘着性衝撃吸収マット３０Ａを家具５０の底面５２の所定位置に粘着する。同図においては、第２金具２１の取付時に、第２金具２１に対して第１金具２２は、第２金具２１のガイド凹条２１１に水平板部２３の一部が僅かに差し込まれている状態としているが、第２金具２１と第１金具２２とを完全に分離させて第２金具２１のみ先に家具５０に固定して、その後に第１金具を第２金具２１に挿入するようにしても良い。何れの手法においても、第１金具２２の垂直板部２４（及び当該垂直板部に貼付された粘着性衝撃吸収マット３０Ｃ）が家具５０に干渉することがなく、家具５０の底面５２における所望の位置に第２金具２１を手際良く取り付けることができる。
【００３０】
また、同図においては、家具５０の一方側を持ち上げて耐震用具１０の所定位置への固定作業を行っているが、家具５０における収納物の有無や、収納状況に応じて、例えば家具５０を横倒しにして底面５２を完全に露出して耐震用具１０の固定作業を行ってもよいことは言うまでもない。
【００３１】
更に、図７に示すように、第１金具２２の垂直板部２４の内面に固定されている粘着性衝撃吸収マット３０Ｃの剥離紙３１Ｃを剥離操作して、第１金具２２を図中矢印方向にスライド操作して、家具５０の側面５３に第１金具２２の垂直板部２４を粘着性衝撃吸収マット３０Ｃを介して当接させることで、家具５０の底面５２及び下縁コーナー部５１を跨いだ側面５３に対して耐震用具１０を接着することができる。
【００３２】
その後、図８に示すように、第１金具２２における水平板部２３の下面に固定されている粘着性衝撃吸収マット３０Ｂの剥離紙３１Ｂを剥離操作して、床面６０に対して耐震用具１０を接着することで、家具５０に対して耐震用具１０を取り付けて、床面６０へのセット作業が完了する。尚、図６乃至図８において、家具５０の一方側について耐震用具１０を取り付ける態様を説明したが、反対側についても同様の手順で耐震用具１０をセットすれば、図９に示すように、家具５０の両側において床面６０に対して耐震用具１０で家具５０を支持することができる。
【００３３】
このように、本発明に係る耐震用具１０は、スライド式Ｌ型金具２０を使用することが特徴である。例えば、固定式Ｌ型金具を使用した場合には、家具の床面と側面とを同時に接着するという作業が非常に面倒でかつ熟練を要するため、所定位置に手際良く固定式Ｌ型金具を取り付けることができないでいるのが実情であったが、本発明に係る耐震用具１０のように、スライド式Ｌ型金具２０を使用することで第２金具２１をまず始めに固定した後、第１金具２２をスライド操作すれば、簡単かつ手際良く家具５０への取り付けが完了する。
【００３４】
次に、耐震用具１０の作用については、図１０に示すように、図中矢印Ｘで示す横揺れについては衝撃吸収マット３０Ａ，３０Ｂの粘性抵抗によるエネルギー減衰作用が得られるとともに、これと直交する方向に配設されている衝撃吸収マット３０Ｃが圧縮変形することで、図１０中矢印Ｘ方向の荷重について有効に吸収することができる。また、直下型地震や縦揺れの際に発生する矢印Ｙ方向の荷重については、第１金具２２の垂直板部２４の内面に固定されている衝撃吸収マット３０Ｃの粘性抵抗により、衝撃を有効に減衰できるとともに、それと直交する方向に配置されている衝撃吸収マット３０Ａ，３０Ｂの圧縮変形作用により、図中矢印Ｙ方向の衝撃を有効に吸収することができる。
【００３５】
従って、スライド式Ｌ型金具２０における第２金具２１の下面、及び第１金具２２の内面にそれぞれ粘着性衝撃吸収マット３０Ａ，３０Ｂ，３０Ｃを配置することにより、優れた衝撃吸収性能が得られる。更に、図１１に示すように、スライド式Ｌ型金具２０において、第２金具２１のガイド凹条２１１内に第１金具２２における水平板部２３の両側縁が収容されており、例えば、この第１金具２２は、第２金具２１に対して図１１中Ｐ方向、すなわち、取付方向についてはそれ程摩擦抵抗がなく、第１金具２２の円滑なスライド操作が可能であるが、Ｐ方向に対して左右方向、上下方向に少しでも偏位した方向に力が加われば、第２金具２１のガイド凹条２１１内で第１金具２２の両側縁との間に摺動抵抗が生じる。すなわち、実際に地震が発生した際には、Ｐ方向と異なる方向の力が加わるため、第２金具２１と第１金具２２との間に摺動抵抗が生じることから、地震発生時の揺れにより、スライド式Ｌ型金具２０において、摺動抵抗による衝撃吸収性能が得られることになる。
【００３６】
このように、性能に優れた粘着性衝撃吸収マット３０を同一平面ではなく、取付面を相違させるように配置して、縦揺れ、横揺れに際しても粘着性衝撃吸収マット３０による良好な衝撃吸収性能が得られるとともに、スライド式Ｌ型金具２０による摺動抵抗が加味されて、大きな衝撃吸収性能が得られることから、縦揺れ、横揺れ等、あらゆる方向の揺れに対して家具５０を確実に支持することができ、マグニチュード７クラスの直下型の地震が発生しても、家具５０の揺れや転倒を確実に防止することができ、家具や大型電化製品の転倒による怪我や揺れによる物品の落下等を防ぐことができ、また、避難通路を有効に確保できる等、安全面に大きく貢献できる。
【産業上の利用可能性】
【００３７】
上述した実施例は、家庭内のタンス、本棚等の家具５０に本発明に係る耐震用具１０を適用したが、家具５０の他に冷蔵庫等の大型電化製品等に適用できるとともに、オフィス内での書庫やロッカー、キャビン類、机上のパソコン等の電子機器、あるいは病院内の検査機器等、本発明に係る耐震用具１０は広範囲に適用できる。
【図面の簡単な説明】
【００３８】
【図１】本発明に係る耐震用具の一実施例の構成を示す斜視図である。
【図２】図１に示す耐震用具を示す側面図である。
【図３】図１に示す耐震用具を示す正面図である。
【図４】図１に示す耐震用具における粘着性衝撃吸収マットの硬度を一般のゴム硬度と比較して示す概要図である。
【図５】図１に示す耐震用具における粘着性衝撃吸収マットの衝撃吸収率を測定する実験方法を示す説明図である。
【図６】図１に示す耐震用具を家具の底面に取り付けた状態を示す説明図である。
【図７】図１に示す耐震用具を家具の底面に取り付けた第２金具に対して第１金具をスライド操作する要領を示す説明図である。
【図８】図１に示す耐震用具を家具の底面と側面に取り付けた状態を示す説明図である。
【図９】家具の両側下面に本発明に係る耐震用具を取り付けた状態を示す説明図である。
【図１０】本発明に係る耐震用具における粘着性衝撃吸収マットによる衝撃吸収時の状態を示す説明図である。
【図１１】本発明に係る耐震用具におけるスライド式Ｌ型金具による衝撃吸収時の状態を示す説明図である。
【図１２】従来の耐震マットによる衝撃吸収時の状態を示す説明図である。
【符号の説明】
【００３９】
１０  耐震用具
２０  スライド式Ｌ型金具
２１  第２金具
２１１  ガイド凹条
２２  第１金具
２３  水平板部
２４  垂直板部
３０，３０Ａ，３０Ｂ，３０Ｃ  粘着性衝撃吸収マット
３１Ａ，３１Ｂ，３１Ｃ  剥離紙
４０  衝撃吸収試験装置
４１  スタンド
４２  磁石
４３  硬球
４５  ロードセル
４６  動歪み測定器
４７  波形記録計
５０  家具
５１  下縁コーナー部
５２  底面
５３  側面
６０  床面
【図１】
2006239223.tif 000005
【図２】
2006239223.tif 000006
【図３】
2006239223.tif 000007
【図４】
2006239223.tif 000008
【図５】
2006239223.tif 000009
【図６】
2006239223.tif 000010
【図７】
2006239223.tif 000011
【図８】
2006239223.tif 000012
【図９】
2006239223.tif 000013
【図１０】
2006239223.tif 000014
【図１１】
2006239223.tif 000015
【図１２】
2006239223.tif 000016